(57)【要約】      （修正有）【課題】太陽電池の接続箱及び太陽電池パネルが接着固定時の外力の影響によって変位することなく、両者連結の安定性が向上し、太陽電池パネルの歩留まりをアップするクランプを提供する。【解決手段】一対の第１挟持片１１はベースプレート両側から相対的に延出され、且つ、末端に第１顎部１３を形成し、同時に該一対の第１挟持片に一対の切欠口が相対して形成する。第２挟持片１２は該一対の切欠口からベースプレート方向へ延出され、並びに、末端に第２顎部１５を形成し、第２挟持片の第２顎部に近接する箇所に第１湾曲を形成し、ベースプレートから離れた箇所に第２湾曲を形成し、且つ、第１湾曲の曲率は第２湾曲の曲率より大きいため、第２挟持片は該第１と第２湾曲からなるフック形構造を介して、太陽電池の接続箱（Ｊｕｎｃｔｉｏｎ  Ｂｏｘ）及び太陽電池パネルが、第１顎部方向から両第１挟持片間の隙間を通り抜けてクランプ内部に入り込んで挟持固定させることができる。【選択図】図１
0003167551.tif 000002
【実用新案登録請求の範囲】
【請求項１】
クランプであって、ベースプレート１と、一対の第１挟持片１１と、一対の第２挟持片１２とを備え、前記一対の第１挟持片１１はベースプレート１両側から相対的に延出され、且つ、末端に第１顎部１３を形成し、前記一対の第１挟持片１１に一対の切欠口１４が相対して形成し、前記第２挟持片１２は前記一対の切欠口１４から前記ベースプレート１方向へ延出され、並びに、末端に第２顎部１５を形成し、
前記各第２挟持片１２の前記第２顎部１５に近接する箇所に第１湾曲１６を形成し、前記ベースプレート１から離れた箇所に第２湾曲１７を形成し、前記第１湾曲１６の曲率は前記第２湾曲１７の曲率より大きく、且つ、前記各第２挟持片１２の前記第１湾曲１６の曲率方向と前記第２湾曲１７の曲率方向の積が負の値になることを特徴とするクランプ。
【考案の詳細な説明】
【背景技術】
【０００１】
本考案はクランプに関し、特に、太陽電池に使用されるクランプに関する。
【０００２】
現代のエネルギー資源が徐々に不足していることに伴い、新エネルギーの開発は国際間において共同で注目されている課題である。太陽電池の開発もこれにより人々から益々重視されてきている。太陽電池にはエコ、省エネ及び応用範囲が広いこと等の様々な長所があり、現在代替できる新エネルギーにおいて開発技術が比較的成熟しているもので、如何にして太陽電池の性能を改良するかはメーカたちの更なる共通の努力目標である。うち、如何にして太陽電池の電気を出力して利用するかは、更に一つの極めて重要な課題である。太陽電池は通常導電リボン（Ｒｉｂｂｏｎ）を通じて太陽電池が発生した電気を太陽電池の外へ出力し、導電リボンとその他の電力ケーブルとが安定に接合させるため、大半太陽電池の接続箱を介して導電リボンと太陽電池の接続箱内の導電端子とを安定に接続させてから、導電端子と電力ケーブルの接続を通じて電力を出力する。このため、太陽電池の接続箱と太陽電池パネルとを安定して固装させることが非常に重要なことである。
【０００３】
従来技術において粘着剤で太陽電池の接続箱と太陽電池パネルとを接着した後、粘着剤が乾いてから架台に設置できる。最もよく利用される粘着剤がシリコーン（Ｓｉｌｉｃｏｎｅ）で、この素材は高度の耐熱性及び耐寒性等の長所があり、一般的な工業で封止或いは物品を固定するものとして幅広く使われる。シリコーンで太陽電池の接続箱と太陽電池パネルとを相互接着して太陽電池の接続箱と接続箱の導電端子との連結の安定性を強化し、太陽電池の正常な使用機能及び機体の使用寿命を確保する。
【０００４】
しかしながら従来技術は、シリコーンで太陽電池の接続箱と太陽電池パネルとを相互接着する時、シリコーンの硬化を待つ時間が半日から１日以上かかり、長時間の接着固定過程において、シリコーンがまだ乾いていないことで、太陽電池の接続箱と太陽電池パネルの間に随時外力又は重力の影響により両者の連結箇所にずれが生じ、従って導電リボンと太陽電池の接続箱との連結に緩みが起きることで送電機能に損傷を与え、更に両者の連結箇所を完全に変位させて太陽電池パネルの送電機能に影響を与え、太陽電池パネルが正常に使用できなくなる。このため確実に太陽電池の接続箱と太陽電池パネルとの両者の相対位置を固定させることが極めて重要な課題であった。
【０００５】
この問題点に鑑み、如何にして上記従来技術に存在する欠点について開発、改良し、利用者の使用の利便性を向上させ且つ使用効果を提供するかが、実際関係業界において開発努力しなければならない目標であった。
【考案の概要】
【考案が解決しようとする課題】
【０００６】
上記先行技術の問題点を解決するため、本考案はクランプを提供し、該クランプには、ベースプレートと、一対の第１挟持片と、一対の第２挟持片とを備える。該一対の第１挟持片はベースプレート両側から相対的に延出され、且つ末端に第１顎部を形成し、同時に該一対の第１挟持片上の相対箇所に一対の切欠口を形成する。第２挟持片は該一対の切欠口からベースプレート方向へ延出され、並びに末端に第２顎部を形成し、各第２挟持片の第２顎部に近接する箇所に第１湾曲を形成し、ベースプレートから離れた箇所に第２湾曲を形成し、第１湾曲の曲率は第２湾曲の曲率より大きい。
【０００７】
よって、本考案の主な目的は、第２挟持片の第２顎部に近接する箇所に第１湾曲を形成し、ベースプレートから離れた箇所に第２湾曲を形成し、第１湾曲の曲率は第２湾曲の曲率より大きため、該第１と第２湾曲の曲率を介して、第１顎部方向から入り込んで相互接着している太陽電池の接続箱及び太陽電池パネルが、第１挟持片間の隙間を経由してクランプ内部の空間に挿通して挟持する時、第２挟持片を太陽電池の接続箱の凹み箇所内に固定するようガイドでき、従って太陽電池の接続箱を横方向に定位して固定させることで、太陽電池の接続箱及び太陽電池パネルが接着固定時の外力の影響によって変位することなく、両者連結の安定性が向上し、太陽電池パネルの歩留まりをアップするクランプを提供することである。
【０００８】
本考案の別の目的は、第２挟持片の第２顎部に近接する箇所に第１湾曲を形成し、ベースプレートから離れた箇所に第２湾曲を形成し、第１湾曲の曲率は第２湾曲の曲率より大きため、該第１と第２湾曲からなるフック形構造を介して、挟持時容易に第２挟持片を太陽電池の接続箱の凹み箇所内における固定又は緩みをガイドし、施工者がクランプの取り付け・取り外し時更に便利し、太陽電池の接続箱への損傷可能性を減らすクランプを提供することである。
【０００９】
本考案の別の目的は、第２挟持片の第２顎部に近接する箇所に第１湾曲を形成し、ベースプレートから離れた箇所に第２湾曲を形成し、第１湾曲の曲率は第２湾曲の曲率より大きため、該第１と第２湾曲からなるフック形構造を介して、第１顎部方向から入り込んで相互接着している太陽電池の接続箱及び太陽電池パネルが、第１挟持片間の隙間を経由してクランプ内部に挿通して挟持する時、第２挟持片を太陽電池の接続箱の凹み箇所内に固定するようガイドでき、従って太陽電池の接続箱を横方向に定位して固定させることで、太陽電池の接続箱及び太陽電池パネルが接着固定時の外力の影響によって変位することなく、太陽電池の接続箱と太陽電池パネルとの連結の安定性を強化され太陽電池の電力出力が正常に動作できるよう確保するクランプを提供することである。
【００１０】
更に、本考案の別の目的は、第２挟持片の第２顎部に近接する箇所に第１湾曲を形成し、ベースプレートから離れた箇所に第２湾曲を形成し、第１湾曲の曲率は第２湾曲の曲率より大きため、該第１と第２湾曲からなるフック形構造を介して、第１顎部方向から入り込んで相互接着している太陽電池の接続箱及び太陽電池パネルが、第１挟持片間の隙間を経由してクランプ内部に挿通して挟持する時、第２挟持片を太陽電池の接続箱の凹み箇所内に固定するようガイドでき、従って太陽電池の接続箱を横方向に定位して固定させることで、太陽電池の接続箱及び太陽電池パネルが接着固定時の外力の影響によって変位することなく、太陽電池の接続箱と太陽電池パネルとの連結の安定性を強化され、太陽電池のメンテナンスを減らし、また太陽電池の使用寿命を延ばし、従って全体的なコストを削減し、且つ生産能力をアップする効果を奏するクランプを提供することである。
【課題を解決するための手段】
【００１１】
上記目的を達成するため、本考案のクランプには、ベースプレートと、一対の第１挟持片と、一対の第２挟持片とを備える。該一対の第１挟持片はベースプレート両側から相対的に延出され、且つ末端に第１顎部を形成し、同時に該一対の第１挟持片に一対の切欠口が相対して形成する。第２挟持片は該一対の切欠口からベースプレート方向へ延出され、並びに末端に第２顎部を形成し、第２挟持片の第２顎部に近接する箇所に第１湾曲を形成し、ベースプレートから離れた箇所に第２湾曲を形成し、且つ第１湾曲の曲率は第２湾曲の曲率より大きいため、第２挟持片は該第１と第２湾曲からなるフック形構造を介して、太陽電池の接続箱（Ｊｕｎｃｔｉｏｎ  Ｂｏｘ）及び太陽電池パネルが、第１顎部方向から両第１挟持片間の隙間を通り抜けてクランプ内部に入り込んで挟持固定させることができることで、太陽電池の接続箱及び太陽電池パネルが接着固定時の外力の影響によって横方向に変位することがない。
【考案の効果】
【００１２】
このため、本考案が提供するクランプ構造は、その構造が簡単で、また太陽電池の接続箱と太陽電池パネルを固定挟持し、且つ横方向に変位しにくい効果を奏することができることに対し、従来のクランプでは接着工程時太陽電池の接続箱及び太陽電池パネルを接着した後長い待ち時間がかかり、外力の影響を受けやすいため両者連結箇所の横方向変位が起き、従って太陽電池の接続箱と太陽電池パネルの間との連結に緩みが生じて送電機能に損傷を与え、更に両者の連結箇所がずれて太陽電池パネルの送電機能及びその使用寿命に影響を与える恐れがある。これにより、本考案は太陽電池パネルの送電機能を確保し、修理・メンテナンスコスト及び施工費用を節約できるだけではなく、同時に施工の組み立てにおいても施工者のクランプの取り付け・取り外し時が更に便利になり、太陽電池の接続箱が損傷する可能性を減らして全体的なコストを削減し且つ生産能力を向上する効果を奏することができる。
【図面の簡単な説明】
【００１３】
【図１】本考案に基づく第１の好ましい実施例で、クランプの立体図である。
【図２】本考案に基づく第１の好ましい実施例で、クランプのＡＡ線断面図である。
【図３】本考案に基づく第１の好ましい実施例で、クランプで太陽電池の接続箱を挟持している場合を示す図である。
【考案を実施するための形態】
【００１４】
本考案は、クランプを開示し、この中に利用されているクランプの固定方法については、すでに当業者が理解できるため、下記の説明において、詳細な記述を行わない。且つ下記の参照図面は、本考案の特徴と関係する構造概念を表明し、実際の寸法で完全に作図する必要がないため、この点について、先ず説明しておく。
【００１５】
本考案に基づく第１の好ましい実施例として、クランプ１００の図１及び図２を参照にしながら説明する。該クランプ１００には、ベースプレート１と、一対の第１挟持片１１と、一対の第２挟持片１２とを備える。該一対の第１挟持片１１はベースプレート１両側から相対的に延出され、且つ末端に第１顎部１３を形成し、同時に該一対の第１挟持片１１に一対の切欠口１４が相対して形成する。第２挟持片１２は該一対の切欠口１４からベースプレート１方向へ延出され、且つ末端に第２顎部１５を形成し、各第２挟持片１２の第２顎部１５に近接する箇所に第１湾曲１６を形成し、ベースプレート１から離れた箇所に第２湾曲１７を形成し、第１湾曲１６の曲率は第２湾曲１７の曲率より大きいため、該第１湾曲１６と第２湾曲１７からなるフック形構造を介して、第１顎部１３方向から入り込んで相互接着している太陽電池の接続箱２００及び太陽電池パネル３００が、第１挟持片１１間の隙間を経由してクランプ１００内部の空間に挿通して挟持する時、第２挟持片１２を太陽電池の接続箱２００の凹み箇所内に固定するようガイドでき、従って太陽電池の接続箱２００を横方向に定位して固定させることで、太陽電池の接続箱２００及び太陽電池パネル３００が接着固定時の外力の影響によって変位することなく、両者間の連結が緩んで送電機能への損傷を避け、太陽電池の安定性を向上する。
【００１６】
第２挟持片１２の第１湾曲１６の曲率方向と第２湾曲１７の曲率方向の積が負の値になるため、外形が形成されたフック形構造を呈現する。該構造は簡単に第２挟持片１２を太陽電池の接続箱２００の凹み部内にガイドして定位でき、同時にそのフック形構造に弧度を有するため、施工者のクランプの取り付け・取り外し時に更に便利となり、また太陽電池の接続箱２００に損傷を与える可能性を減らす。
【００１７】
各第２挟持片１２の第１湾曲１６と第２湾曲１７の両者が直接連結、或いは別に延伸部１８を備えることができ、又はその他の同じ固定目的を達成する方法により、製品の施工及び取り付けの要求に基づいて変更できる。第１挟持片１１にはベースプレート１に連結する水平部１９を備え、該一対の第１挟持片１１の水平部１９が相互平行する。第１挟持片１１には更に水平部１９と第１顎部１３の間に設置される傾斜部２０を備え、当該一対の第１挟持片１１の傾斜部２０が相互傾斜して近接し、ペアになった水平部１９及び傾斜部２０の連結を介して生じた斜面構造は、傾斜部２０が挟持する物品に加圧させることができ、接着工程時太陽電池の接続箱２００及び太陽電池パネル３００はクランプ１００内に上下固定の効果を実現させる。
【００１８】
第１顎部１３の開度は第２顎部１５の開度と実質的に同じ、太陽電池の接続箱２００及び太陽電池パネル３００は更にクランプ１００内に入り込みやすい。ベースプレート１が更に開口部２１を形成して一対の切欠口１４に連なり、該開口部２１を通じて作業者は外から導電リボンと第２挟持片１２とが確実に固定しているかを容易に観察できる。その他、各第１挟持片１１の第１顎部１３に近接する箇所で更に少なくとも１つの定位手段２２が形成される。定位手段２２が第１挟持片１１へ延伸する方向に穿孔２３が形成される。該定位手段２２は施工工具の使用に合わせて該一対の第１挟持片１１を広げ、穿孔２３を介して施工工具の作動部を挿入すると共に加力で第１挟持片１１を広げて太陽電池の接続箱２００及び太陽電池パネル３００を更にクランプ１００内に入り込みやすく、且つ太陽電池の接続箱２００及び太陽電池パネル３００がスリキズによって損傷を受けることがない。各定位手段２２は相互対応或いは相互に対応しないことができ、又はその他の同じ固定目的を達成する方法により、製品の施工及び取り付け工具の要求に基づいてその構造を変更できる。
【００１９】
次に、クランプ１００で太陽電池の接続箱２００を挟持している際の見取りの図３を参照にしながら説明する。相互接着している太陽電池の接続箱２００及び太陽電池パネル３００は、クランプ１００内部の空間に挿入して挟持した後、第２挟持片１２が更に太陽電池の接続箱２００を横方向に定位して固定し、太陽電池の接続箱２００及び太陽電池パネル３００が接着固定時に外力の影響を受けて変位することはない。
【００２０】
以上の記述は、本考案の好ましい実施例のみであり、本考案の登録請求の権利が限定されるものではない。同時に当業者が以上の記述を理解及びび実施できる。このため、本考案の精神を逸脱しない範囲内において種々の改良変更をなし得ることは、実用新案登録請求の範囲内に含めるものであるのが勿論である。
【符号の説明】
【００２１】
１      ベースプレート
１１    第１挟持片
１２    第２挟持片
１３    第１顎部
１４    切欠口
１５    第２顎部
１６    第１湾曲
１７    第２湾曲
１８    延伸部
１９    水平部
２０    傾斜部
２１    開口部
２２    定位手段
２３    穿孔
１００  クランプ
２００  太陽電池の接続箱
３００  太陽電池パネル
ＡＡ    断面線
【図１】
0003167551.tif 000003
【図２】
0003167551.tif 000004
【図３】
0003167551.tif 000005